(57)【要約】【課題】レンズの鏡筒への組み込み構造の簡単化が図れるとともに、レンズの設計変更に対する対応が容易なレンズ及びレンズユニットを提供する。【解決手段】レンズユニット１は、複数（図１の図示例では３枚）のレンズ２と、鏡筒３と、スペーサ４と、抜け止めリング５とを備えている。レンズ２は、レンズ２としての機能を担うレンズ本体部２ａと、レンズ本体部２ａの外周部に設けられたつば部２ｂとを備えて構成されている。レンズ２のレンズ本体部２ａは、レンズ２の有効径Ｄに対応した径を有しており、有効径Ｄに応じて径が変化するが、そのレンズ本体部２ａの径の違いを補うようにつば部２ｂの径方向に沿った寸法が変化され、いずれのレンズ２も同じ外径サイズを有するように設定されている。【選択図】図１
2007240941.tif 000002
【特許請求の範囲】
【請求項１】
複数のレンズと、
前記複数のレンズを保持する鏡筒と
を備え、
前記複数のレンズの各々は、
レンズとしての機能を担うレンズ本体部と、
前記レンズ本体部の外周部に設けられたつば部と
を有し、
レンズの外径サイズは、前記複数のレンズにおいて同一である、レンズユニット。
【請求項２】
各々が、レンズとしての機能を担うレンズ本体部と、前記レンズ本体部の外周部に設けられたつば部とを有する、複数のレンズと、
前記複数のレンズの各々の前記つば部間に配設されたスペーサと
を備え、
前記つば部及び前記スペーサが接合又は結合することで鏡筒として機能する、レンズユニット。
【請求項３】
前記複数のレンズの各々の前記つば部は遮光性を有している、請求項１又は２に記載のレンズユニット。
【請求項４】
前記複数のレンズの各々において、前記レンズ本体部と前記つば部とが一体成形されていることを特徴とする、請求項１〜３のいずれか一つに記載のレンズユニット。
【発明の詳細な説明】
【技術分野】
【０００１】
本発明は、レンズユニットに関する。
【背景技術】
【０００２】
一般的な従来のレンズはその有効径に応じて外径サイズが異なっている。
【発明の開示】
【発明が解決しようとする課題】
【０００３】
このため、レンズの鏡筒への組み込み構造が複雑化している。例えば、鏡筒の内径を各レンズの外径に応じて段差状に変化させたり、複雑な形状のスペーサを用いる必要があるなど、構造や組み込み作業が複雑化しやすい。また、レンズの構成の変更により鏡筒の構造を大幅に変更する必要があり、レンズの設計変更に対する対応が煩雑である。
【０００４】
そこで、本発明の解決すべき課題は、レンズの鏡筒への組み込み構造の簡単化が図れるとともに、レンズの設計変更に対する対応が容易なレンズユニットを提供することである。
【課題を解決するための手段】
【０００５】
上記の課題を解決するために、第１の発明に係るレンズユニットは、複数のレンズと、前記複数のレンズを保持する鏡筒とを備え、前記複数のレンズの各々は、レンズとしての機能を担うレンズ本体部と、前記レンズ本体部の外周部に設けられたつば部とを有し、レンズの外径サイズは、前記複数のレンズにおいて同一であることを特徴とする。
【０００６】
また、第２の発明に係るレンズユニットは、各々が、レンズとしての機能を担うレンズ本体部と、前記レンズ本体部の外周部に設けられたつば部とを有する、複数のレンズと、前記複数のレンズの各々の前記つば部間に配設されたスペーサとを備え、前記つば部及び前記スペーサが接合又は結合することで鏡筒として機能することを特徴とする。
【０００７】
また、第３の発明に係るレンズユニットは、第１又は２の発明に係るレンズユニットにおいて特に、前記複数のレンズの各々の前記つば部は遮光性を有していることを特徴とする。
【０００８】
また、第４の発明に係るレンズユニットは、第１〜第３のいずれか一つの発明に係るレンズユニットにおいて特に、前記複数のレンズの各々において、前記レンズ本体部と前記つば部とが一体成形されていることを特徴とする。
【発明の効果】
【０００９】
第１の発明に係るレンズユニットによれば、レンズ本体部の外周部に設けたつば部の径方向に沿った寸法を調節することにより、例えば、有効径の異なるレンズであってもレンズ全体の外径を同じ寸法にすることができる。このため、例えば鏡筒の内周を寸胴な構造とすることができ、レンズの鏡筒への組み込み構造の簡単化が図れる。また、鏡筒の内周に複雑な段差形状を設ける必要がないため、レンズの設計変更時に鏡筒の構造を大きく変更する必要がなく、容易に対応することができる。
【００１０】
また、ベルクランプ法等による機械的な心取りが難しいレンズ形状であっても、つば部を設けることでレンズの心取りが容易となる。
【００１１】
第２の発明に係るレンズユニットによれば、つば部とスペーサとが接合又は結合することで鏡筒として機能する。そのため、専用の鏡筒を省略することができるため、部品点数の削減及びコストの低減を図ることができる。
【００１２】
また、ベルクランプ法等による機械的な心取りが難しいレンズ形状であっても、つば部を設けることでレンズの心取りが容易となる。
【発明を実施するための最良の形態】
【００１３】
図１は、本発明の一実施形態に係るレンズが適用されたレンズユニットの断面図である。このレンズユニット１は、図１に示すように、複数（図１の図示例では３枚）のレンズ２と、鏡筒３と、スペーサ４と、抜け止めリング５とを備えている。
【００１４】
各レンズ２は、図１及び図２に示すように、レンズ２としての機能を担うレンズ本体部２ａと、レンズ本体部２ａの外周部に設けられたつば部２ｂとを備えて構成されている。レンズ２のレンズ本体部２ａは、レンズ２の有効径Ｄに対応した径を有しており、有効径Ｄに応じて径が変化するが、そのレンズ本体部２ａの径の違いを補うようにつば部２ｂの径方向に沿った寸法が変化され、いずれのレンズ２も同じ外径サイズを有するように設定されている。
【００１５】
また、つば部２ｂはリング状の平行平板形状（均一な厚み形状）とされており、その外形は例えば円形に設定されている。変形例として、つば部２ｂの外形を四角形等の多角形にしてもよい。
【００１６】
また、つば部２ｂ（図２のハッチングを付した部分）は、その表面（例えば、物体側の表面、あるいは物体側及び像側の両表面）に遮光性の塗料が付与される等して、光を透過させない構造となっている。
【００１７】
このようなレンズ２は、レンズ本体部２ａとつば部２ｂとが一部にレンズ形状を有する金型を用いて一体に成形されている。あるいは、切削加工によって、レンズ本体部２ａとつば部２ｂとを一体に成形してもよい。レンズ２の材質は、レンズ２の使用目的に応じて決定され、赤外線レンズ用途であれば、低コスト材料の硫化亜鉛等を用いることが望ましい。
【００１８】
レンズ２の外径が同一に設定されているため、鏡筒３を簡単な寸胴構造とすることができるようになっている。また、レンズ２同士の間に挿入するスペーサ４についても、光軸方向の長さが異なるのみで、外径は同じサイズに設定できるようになっている。
【００１９】
鏡筒３の開口部の抜け止め構造としては、種々の構成が考えられるが、例えば、図１の図示例では、抜け止めリング５を嵌め込んで抜け止めを行っている。
【００２０】
レンズ２間隔の調節は、つば部２ｂ及びスペーサ４の厚みを調節することにより、容易に行うことができるようになっている。
【００２１】
また、レンズ２の有効径Ｄ外の形状に関しては、精密な加工は不要である。
【００２２】
このような構成により、レンズ２の外径サイズが同一に設定されているため、鏡筒３の内周を寸胴な構造とすることができるとともに、スペーサ４の外径サイズも同じサイズに統一することができ、レンズ２の鏡筒３への組み込み構造の簡単化が図れる。また、鏡筒３の内周に複雑な段差形状を設ける必要がないため、レンズ２の設計変更時に鏡筒３の構造を大きく変更する必要がなく、容易に対応することができる。
【００２３】
また、ベルクランプ法等による機械的な心取りが難しいレンズ形状であっても、つば部２ｂを設けることでレンズ２の心取りが容易となる。
【００２４】
また、レンズ２のつば部２ｂがリング状の平行平板形状を有するため、レンズ２の厚みの精度が出しやすいとともに、レンズ２と鏡筒３との接点が簡素化できる。
【００２５】
また、レンズ２のレンズ本体部２ａとつば部２ｂとを金型成形により一体に形成することにより、レンズ２を安価に作製することができる。
【００２６】
また、レンズ２のつば部２ｂが遮光性を有しているため、つば部２ｂを透過した光が迷光となって像を劣化させるという事態を防止することができる。
【００２７】
なお、上述の実施形態の変形例として、図３に示す構成が考えられる。この図３に示す構成では、レンズ２のつば部２ｂとスペーサ４との当接部を接合（例えば、接着剤による接合等が考えられる）又は結合（例えば、嵌合構造等による結合が考えられる）することで、つば部２ｂとスペーサ４とを鏡筒として機能させている。これにより、専用の鏡筒を省略することができるため、部品点数の削減及びコストの低減を図ることができる。図３に示す構成では、つば部２ｂとスペーサ４との当接部に互いに嵌合する凸部１１と凹部１２とが設けられている。この凸部１１及び凹部１２は、周方向に連続的に設けてもよく、周方向の複数箇所に間欠的に設けてもよい。
【図面の簡単な説明】
【００２８】
【図１】本発明の一実施形態に係るレンズが適用されたレンズユニットの断面図である。
【図２】レンズの正面図である。
【図３】図１の構成の変形例を示す図である。
【符号の説明】
【００２９】
１  レンズユニット
２  レンズ
２ａ  レンズ本体部
２ｂ  つば部
３  鏡筒
４  スペーサ
５  抜け止めリング
【図１】
2007240941.tif 000003
【図２】
2007240941.tif 000004
【図３】
2007240941.tif 000005